(57)【要約】【課題】退避位置にある磁気ディスク装置のアクチュエータ・サスペンション・アセンブリを拘束し、解放する機構を提供する。【解決手段】磁気ディスク装置において、磁気ディスク４ａは、導電性の材料で形成されており、一端に渦流マグネットを保持し他端にラッチ係合部を備えるラッチ部材５０が配置されている。アクチュエータ・サスペンション・アセンブリ８は退避位置にあり、フレーム係合部２３において、ラッチ部材で拘束されている。渦流マグネットは、磁気ディスク表面に近接する位置で磁極がその表面に対向するように配置されている。磁気ディスクを回転させると渦流が発生して渦流マグネットに力が働き、ラッチ部材が回動して、アクチュエータ・サスペンション・アセンブリを解放する。【選択図】      図３
2004303290.tif 000002
【特許請求の範囲】
【請求項１】
回転円板型記憶装置であって、
ハウジングと、
記録領域を備え少なくとも一部の領域が導電性の材料で形成された回転円板型記録媒体と、
ヘッド／スライダが取り付けられ、ボイス・コイル・モータを含み、前記ハウジングで支持されたピボット軸を中心に前記ヘッド／スライダが退避位置と前記記録領域の間を移動するように動作するアクチュエータ・サスペンション・アセンブリと、
前記回転円板型記録媒体の導電性の材料で形成された領域の表面に近接して配置され、磁極が前記回転円板型記録媒体の表面に対向する渦電流マグネットと、前記渦電流マグネットを保持し、前記回転円板型記録媒体を回転させたときに前記磁極により前記回転円板型記録媒体に生成された渦電流が前記渦電流マグネットに及ぼす力を利用して前記退避位置で拘束されているアクチュエータ・サスペンション・アセンブリを解放する可動構造と
を有する回転円板型記憶装置。
【請求項２】
さらにランプを備え、前記アクチュエータ・サスペンション・アセンブリは前記ヘッド／スライダを前記ランプに位置づけて退避する請求項１記載の回転円板型記憶装置。
【請求項３】
前記回転円板型記録媒体がランディング領域を備え、前記アクチュエータ・サスペンション・アセンブリは前記ヘッド／スライダを前記ランディング領域に退避する請求項１記載の回転円板型記憶装置。
【請求項４】
前記可動構造が、前記ハウジングで支持されたラッチ軸を中心に拘束範囲と解放範囲との間を回動するラッチ部材である請求項１記載の回転円板型記憶装置。
【請求項５】
さらに前記回転円板型記録媒体が所定の回転数以下で回転しているか又は停止しているときは、前記ラッチ部材を拘束範囲に回動させるバイアス力を付与するバイアス構造を備える請求項４記載の回転円板型記憶装置。
【請求項６】
前記バイアス構造は、前記ボイス・コイル・モータのステータ・マグネットと前記渦電流マグネットを含む請求項５記載の回転円板型記憶装置。
【請求項７】
前記ラッチ部材がさらに磁性部又はマグネットを備え、前記バイアス構造は該磁性部又はマグネットと前記ボイス・コイル・モータのステータ・マグネットとを含む請求項５記載の回転円板型記憶装置。
【請求項８】
さらに前記ラッチ部材と係合するスプリングを備え、前記バイアス構造が該スプリングを含む請求項５記載の回転円板型記憶装置。
【請求項９】
前記ラッチ部材が、さらに前記アクチュエータ・サスペンション・アセンブリを拘束するラッチ係合部を備える請求項４記載の回転円板型記憶装置。
【請求項１０】
前記ラッチ部材は、拘束範囲と解放範囲との間で前記渦電流マグネットが前記回転円板型記録媒体の表面に対して平行に移動するように回動する請求項４記載の回転円板型記憶装置。
【請求項１１】
前記ラッチ部材は、拘束範囲と解放範囲との間で前記渦電流マグネットが前記回転円板型記録媒体の表面に対して実質的に垂直に移動するように回動する請求項４記載の回転円板型記憶装置。
【請求項１２】
前記回転円板型記録媒体が非記録領域を備え、前記ラッチ部材が前記拘束範囲と解放範囲との間を回動する間前記渦電流マグネットの磁極が実質的に前記非記録領域の表面に対向している請求項４記載の回転円板型記憶装置。
【請求項１３】
前記非記録領域が前記回転円板型記録媒体の外径近辺に設けられている請求項１２記載の回転円板型記憶装置。
【請求項１４】
回転円板型記憶装置であって、
前記回転円板型記憶装置の構成要素を収納する手段と、
前記収納する手段に回転可能に支持され、記録領域を備えて少なくとも一部の領域が導電性の材料で形成されたデータを記録する手段と、
前記データを記録する手段からデータの読み出しをするヘッド／スライダを退避位置と前記記録領域との間で移動させる手段と、
前記退避位置に位置づけられている前記移動させる手段を拘束する手段と、
前記データを記録する手段の導電性の材料で形成された領域の表面に近接して配置され、前記データを記録する手段の表面に磁束を供給する手段と、
前記磁束を供給する手段を保持し、前記データを記録する手段を回転させたときに前記磁束により前記データを記録する手段に生成された渦電流が前記磁束を供給する手段に及ぼす力を利用して前記移動させる手段の拘束を解放する手段とを有する回転円板型記憶装置。
【請求項１５】
少なくとも一部の領域が導電性の材料で形成された回転円板型記録媒体と、ヘッド／スライダを含むアクチュエータ・サスペンション・アセンブリとを備える回転円板型記憶装置において、退避位置で拘束されているアクチュエータ・サスペンション・アセンブリを解放する方法であって、
前記回転円板型記録媒体を回転させて、前記回転円板型記録媒体に近接する位置に前記導電性の材料で形成された領域の表面に磁極が対向するように配置された渦電流マグネットの磁極により前記回転円板型記録媒体に渦電流を発生させるステップと、
前記渦電流により前記渦電流マグネットに力を付与するステップと、
前記渦電流マグネットに付与された力を利用して、前記アクチュエータ・サスペンション・アセンブリの拘束を解放するステップと
を有するアクチュエータ・サスペンション・アセンブリを解放する方法。
【請求項１６】
前記渦電流が前記渦電流マグネットに与える力は、前記回転円板型記録媒体の表面に平行な方向である請求項１５記載の方法。
【請求項１７】
前記渦電流が前記渦電流マグネットに与える力は、前記回転円板型記録媒体の表面に実質的に垂直な方向である請求項１５記載の方法。
【発明の詳細な説明】
【０００１】
【発明の属する技術分野】本発明は、磁気ディスク装置や光磁気ディスク装置などの回転円板型記憶装置が動作を停止してヘッド／スライダを所定の位置に退避しているときにアクチュエータ・サスペンション・アセンブリの動作を拘束し、及び駆動するときに解放する技術に関し、より詳細には装置内部の小さな空間において簡易な機構でかつ確実にアクチュエータ・サスペンション・アセンブリの動作を拘束し及び解放する技術に関する。
【０００２】
【従来の技術】磁気ディスク装置は、表面に磁性層が形成されスピンドル軸の廻りで回転するように設けられた円板状の回転円板型磁気ディスクと、アクチュエータ・サスペンション・アセンブリと、データの読み書き及びアクチュエータ・サスペンション・アセンブリの動作を制御する制御ユニットを備える。アクチュエータ・サスペンション・アセンブリは、データを読み書きするヘッドと、ヘッドが取り付けられ空気軸受面（ＡＢＳ）を提供するスライダと、スライダが取り付けられたサスペンション・アセンブリと、サスペンション・アセンブリが連結されピボット軸の廻りを回動するキャリッジ・アームを含む。
【０００３】
キャリッジ・アームの一部にはコイル・アームが形成されて、ボイス・コイルを保持している。コイル・アームは、ボイス・コイル・マグネットの磁界の中に配置され、ボイス・コイル・マグネットとボイス・コイルはキャリッジ・アームを回動させる駆動力を生成するボイス・コイル・モータ（ＶＣＭ）を構成する。
【０００４】
磁気ディスクが回転すると、表面の気流が空気軸受を形成しスライダの空気軸受面に揚力を与えてスライダを磁気ディスク表面からわずかに持ち上げる。ボイス・コイル・モータの駆動力により、スライダは磁気ディスク表面上からわずかに浮かんだ状態で磁気ディスクのほぼ半径方向にピボット軸を中心に回動して、ヘッドがディスク表面の所定の位置にデータの読み書きをすることができるようになっている。
【０００５】
近年磁気ディスク装置はポータブル・コンピュータなどの可搬式情報機器に搭載されることが多くなり、小型化と共に耐衝撃性の向上が求められている。磁気ディスク装置が停止しているときは、磁気ディスクの回転が停止しているため、空気軸受は消失している。ロード／アンロード方式の磁気ディスク装置においては、磁気ディスクの回転が停止している間、スライダを磁気ディスクの外側に設けたランプという退避機構に退避させる。ランプについては、たとえば、特許文献１に記載されている。
【特許文献１】
特開平１１−１１０９３３号公報
【０００６】
スライダがランプに退避しているとき、磁気ディスク装置に外部から衝撃力が加えられてスライダが磁気ディスクの記録領域に移動し磁気ディスク表面に接触すると、スライダ又は磁気ディスクのいずれかが損傷する恐れがでてくるのでこれを防止する必要がある。
【０００７】
また、停止している磁気ディスクの表面にスライダが着陸するとスティクションというスライダの空気軸受面と磁気ディスク表面との間の粘着現象をもたらす。スティクションが発生した状態で磁気ディスクを回転さようとすると磁気ディスク表面を損傷させたり、あるいは最も深刻な状態として磁気ディスクを起動できない状態にすることがある。
【０００８】
従って磁気ディスク装置においては、スライダを退避位置に位置づけた後は、再度磁気ディスクを回転するまで磁気ディスク装置に大きな衝撃力が加わってもスライダを退避位置に強固に拘束しておく機構が必要である。さらに、その拘束は再度磁気ディスクを起動するときにすみやかに解放されて、アクチュエータ・サスペンション・アセンブリは自由に動作できる必要がある。
【０００９】
スライダが退避位置におかれているときのアクチュエータ・サスペンション・アセンブリの拘束方法として、たとえば特許文献２にマグネット式、電磁ソレノイド式、慣性ラッチ式などの方法が記載されている。マグネット式は、一旦マグネットでアクチュエータ・サスペンション・アセンブリのキャリッジ・アームの一部を吸着した後に、アクチュエータを動作させて離脱させる必要があり吸着力の大きさには限界がある。また、大きな磁界強度を得るためには大きなマグネットのためのスペースが必要になり、それ単独で大きな衝撃力に対応させることは困難であった。
【特許文献２】
特開平８−３３９６４５号公報
【００１０】
また、電磁ソレノイド式は構造が複雑になるという難点があり、慣性ラッチは動作に遊びがあるため持ち運んだときに音がして、ユーザに内部部品が脱落したとの錯覚を与えてしまうことがあった。さらに他の方法として、特許文献３には渦電流を利用した技術が開示されている。
【特許文献３】
米国特許第６４６２９１３号明細書
【００１１】
同公報には、アクチュエータをロックするためのフックとマグネットを設けた回転板を回動できるようにハウジングのベースに取り付け、スピンドルの回転が停止しているときはマグネットとハブ裏側に形成された磁性体との磁気作用により回転板をフック位置におき、スピンドルが回転しているときはハブに生じた渦電流がマグネットに及ぼす力で回転板を回動させて、アクチュエータのロックを解放する技術が開示されている。
【００１２】
【発明が解決しようとする課題】
本発明の目的は、退避位置で拘束されているアクチュエータ・サスペンション・アセンブリを、磁気ディスク装置の起動に併せて解放することにより、耐衝撃性を向上させた回転円板型記憶装置を提供することにある。
【００１３】
さらに本発明の目的は、磁気ディスク装置を停止しているときに退避位置でアクチュエータ・サスペンション・アセンブリを拘束し、磁気ディスク装置を起動するときに拘束を解放する機構を、スペースを節約した簡易な構造で確実に行う回転円板型記憶装置を提供することにある。
【００１４】
【課題を解決するための手段】
本発明の原理は、回転円板型記憶装置においてヘッド／スライダを退避した状態で動作が拘束されたアクチュエータ・サスペンション・アセンブリの動作を解放する際に、回転円板型記録媒体に発生した渦電流を利用する点にある。記録媒体を導電性の材料で形成し、記録媒体の表面に渦電流マグネットの磁極が対向するように近接して配置して記録媒体を回転させると、磁極からでた磁束が記録媒体を貫き記録媒体には電磁誘導により渦電流が流れ、渦電流マグネットには記録媒体の表面に平行な面上で回転方向と同じ方向及び記録媒体の表面に垂直な方向に力が働くことが知られている。
【００１５】
回転円板型記憶装置の動作を停止する際、回転円板型記録媒体の回転数が所定値以下かゼロになっている間は、ヘッド／スライダが退避位置から移動しないようにアクチュエータ・サスペンション・アセンブリの動作を拘束して耐衝撃性を高める必要がある。そして、再度装置を起動するために記録媒体を回転させるときは、アクチュエータ・サスペンション・アセンブリは自由に動作できる状態になっていなければならない。
【００１６】
渦電流が渦電流マグネットに付与する力は、記録媒体の回転速度に関係しているので、アクチュエータ・サスペンション・アセンブリを拘束しておかなければならない期間は渦電流が渦電流マグネットに付与する力が弱いかまったくない期間と一致し、解放しなければならない期間は記録媒体の回転速度が所定値以上に上昇している期間と一致することを利用すると、解放すべきタイミングを渦電流マグネットに働く力の大きさとして獲得することができる。
【００１７】
回転円板型記録媒体が磁気ディスクの場合、磁気ディスクの表面に渦電流マグネットなどで磁界を生成することは記録データに障害を与える可能性があるために、これまで十分に検討されてこなかった。本発明は近年、磁気ディスクの表面に形成された磁性層の保磁力が高まったこと、磁気ディスクはスピンドルから半径方向に離れた位置ほど高い周速度を有し比較的小さな磁荷の渦電流マグネットでも解放機構を駆動するのに十分な力を得ることができることなどに着眼し、マグネットで磁気ディスクに渦電流を発生させても記録されたデータには影響しないという知見も考慮して実現したものである。
【００１８】
本発明の第１の態様では、回転円板型記憶装置であって、ハウジングと、記録領域を備え少なくとも一部の領域が導電性の材料で形成された回転円板型記録媒体と、ヘッド／スライダが取り付けられ、ボイス・コイル・モータを含み、前記ハウジングで支持されたピボット軸を中心に前記ヘッド／スライダが退避位置と前記記録領域の間を移動するように動作するアクチュエータ・サスペンション・アセンブリと、前記回転円板型記録媒体の導電性の材料で形成された領域の表面に近接して配置され、磁極が前記回転円板型記録媒体の表面に対向する渦電流マグネットと、前記渦電流マグネットを保持し、前記回転円板型記録媒体を回転させたときに前記磁極により前記回転円板型記録媒体に生成された渦電流が前記渦電流マグネットに及ぼす力を利用して前記退避位置で拘束されているアクチュエータ・サスペンション・アセンブリを解放する可動構造と、を有する回転円板型記憶装置を提供する。
【００１９】
本発明の第１の態様に係る回転円板型記憶装置では退避位置において任意の周知の機構で拘束されているアクチュエータ・サスペンション・アセンブリを装置の使用に際して可動構造が記録媒体に生じた渦電流による力を利用して解放することができる。
【００２０】
アクチュエータ・サスペンション・アセンブリの拘束とは、ヘッド／スライダを退避している間、衝撃力などで移動しないように一時的に動作を強制的に拘束することを意味し、拘束方法としてはアクチュエータ・サスペンション・アセンブリとハウジングとの間にいかなる電気的又は機械的な機構を介在させて実現してもよい。
【００２１】
渦電流マグネットは記録媒体に近接して配置され、磁極が記録媒体の表面に対向しているため磁極からでた磁束が記録媒体を貫通し、記録媒体の回転により渦電流が発生して渦電流マグネットに水平方向と垂直方向の力を与える。本発明において、渦電流マグネットは必ずしも記録媒体から離隔して配置する必要はなく、記録媒体の回転を妨げない程度に接触していてもよい。
【００２２】
この力の利用には様々な方法が考えられる。一端に渦電流マグネットを取り付けたアームを、軸を中心に水平又は垂直に回転できるように配置して回転として利用してもよいし、片持ち梁の先端に渦電流マグネットを取り付けて梁の変位として利用してもよい。
【００２３】
さらには、渦電流マグネットをスライドできるガイドの上で支持し、媒体に対して平行又は垂直にスライドさせたときのマグネット自体の動作を利用してもよい。本態様では可動構造がこれらの力を利用することにより様々な機構で拘束されているアクチュエータ・サスペンション・アセンブリを装置の起動に併せて解放することができる。
【００２４】
さらに本態様は、アクチュエータ・サスペンション・アセンブリの退避方式としてランプを利用するロード／アンロード方式又は、記録媒体のランディング領域を利用するコンタクト・スタート・ストップ方式の回転円板型記憶装置に適用できる。
【００２５】
さらに本態様は、可動構造として拘束範囲と解放範囲との間を回動可能なラッチ部材を提供することができる。ラッチ部材に保持された渦電流マグネットに働く力をラッチ部材の回転として取り出すことにより、簡易な構造で解放手段を実現できることになる。拘束範囲とは、ラッチ部材が直接又は他の部材を介して間接的にアクチュエータ・サスペンション・アセンブリを拘束することができるラッチ部材の回動範囲を意味し、解放範囲とはラッチ部材が直接又は他の部材を介して間接的に拘束されているアクチュエータ・サスペンション・アセンブリを解放することができるラッチ部材の回動範囲を意味する。
【００２６】
拘束範囲と解放範囲を回動するとは、拘束範囲と解放範囲との間にヒステリシス特性があっていずれとも画定できない範囲を含んでいてもよいことを意味する。また、拘束範囲及び解放範囲は、必ずしもいずれかの状態を維持したままラッチ部材がある範囲を回動することだけを意味するものだけではなく、ある特定の拘束位置又は解放位置を示すものであってもよい。
【００２７】
さらに本態様は、回転円板型記録媒体が所定の回転数以下で回転しているか又は停止しているときは、ラッチ部材を拘束範囲に回動させるバイアス力を付与するバイアス構造を提供することができる。記録媒体が所定の回転数以下で回転しているか又は停止しているときは、装置を使用しないときなのでヘッド／スライダを退避させてアクチュエータ・サスペンション・アセンブリを拘束する期間であり、バイアス力をラッチ部材に加えるという構成を備えることでラッチ部材を拘束機構としても利用することができる。
【００２８】
さらに本態様では、バイアス構造をボイス・コイル・モータのステータ・マグネットと渦電流マグネット、又はラッチ部材の磁性部若しくはマグネットとで構成することができる。この構成を備えることにより、ボイス・コイル・モータを備えるアクチュエータ・サスペンション・アセンブリにおいては、特別な部品を用意することなくバイアス構造を構成することができる。また、バイアス構造はスプリングで構成することもできる。この構成を備えることにより、ステータ・マグネットとラッチ部材の相互関係の制約を受けないでバイアス構造を構成することができる。このようなバイアス構造の採用により、簡単で小型の機構で拘束及び解放を実現することができる。
【００２９】
さらに本態様は、ラッチ部材がアクチュエータ・サスペンション・アセンブリを拘束するラッチ係合部を提供することができる。この構成を備えることにより、ラッチ部材をアクチュエータ・サスペンション・アセンブリの拘束に使用することができるようになり、拘束及び解放のために他の部材が必要にならず、簡易で小型の機構を実現することができるようになる。
【００３０】
さらに本態様では、ラッチ部材が拘束範囲と解放範囲との間を回動するとき、渦電流マグネットが回転円板型記録媒体の表面に対して平行又は実質的に垂直に移動する構成にすることができる。この構成を備えることにより、ラッチ部材を拘束範囲に位置づけてラッチ係合部でアクチュエータ・サスペンション・アセンブリを拘束し、渦電流マグネットに働く力を利用してラッチ部材を回動させアクチュエータ・サスペンション・アセンブリを解放することができる。
【００３１】
さらに本態様では、回転円板型記録媒体が非記録領域を備え、ラッチ部材が前記拘束範囲と解放範囲との間を回動する間、渦電流マグネットの磁極面が実質的に非記録領域の表面に対向するように構成することができる。この構成を備えることにより、渦電流マグネットの磁界が記録媒体に記録されたデータに与える影響を考慮する必要がないので、渦電流マグネットの磁界の強さ及び記録媒体の磁性層の保磁力を任意に選択することができる。
【００３２】
さらに本態様では、非記録領域を記録媒体の外径近辺に設けることにより、ラッチ部材を記録媒体の外側近辺に配置したときラッチ部材の形状を小型にすることができ、かつ、記録媒体の周速度が最も大きい場所なので、大きな渦電流を発生させて大きなトルクを得るのに都合がよい。
【００３３】
本発明の第２の態様は、回転円板型記憶装置であって、前記回転円板型記憶装置の構成要素を収納する手段と、前記収納する手段に回転可能に支持され、記録領域を備えて少なくとも一部の領域が導電性の材料で形成されたデータを記録する手段と、前記データを記録する手段からデータの読み出しをするヘッド／スライダを退避位置と前記記録領域との間で移動させる手段と、前記退避位置に位置づけられている前記移動させる手段を拘束する手段と、前記データを記録する手段の導電性の材料で形成された領域の表面に近接して配置され、前記データを記録する手段の表面に磁束を供給する手段と、前記磁束を供給する手段を保持し、前記データを記録する手段を回転させたときに前記磁束により前記データを記録する手段に生成された渦電流が前記磁束を供給する手段に及ぼす力を利用して前記移動させる手段の拘束を解放する手段とを有する回転円板型記憶装置を提供する。
【００３４】
本発明の第３の態様は、少なくとも一部の領域が導電性の材料で形成された回転円板型記録媒体と、ヘッド／スライダを含むアクチュエータ・サスペンション・アセンブリとを備える回転円板型記憶装置において、退避位置で拘束されているアクチュエータ・サスペンション・アセンブリを解放する方法であって、前記回転円板型記録媒体を回転させて、前記回転円板型記録媒体に近接する位置に前記導電性の材料で形成された領域の表面に磁極が対向するように配置された渦電流マグネットの磁極により前記回転円板型記録媒体に渦電流を発生させるステップと、前記渦電流により前記渦電流マグネットに力を付与するステップと、前記渦電流マグネットに付与された力を利用して、前記アクチュエータ・サスペンション・アセンブリの拘束を解放するステップと、を有するアクチュエータ・サスペンション・アセンブリを解放する方法を提供する。
【００３５】
【発明の実施の形態】
次に本発明の実施の形態について図面を参照して説明する。図１は本発明における第１の実施の形態に係る磁気ディスク装置３０の概略構成を示すために二つの方向からみた斜視図で、図２はそのＡ−Ａ断面の主要部に関する概略図である。説明の簡略のため、図２では、図１に示したランプ１８の記載を省略している。磁気ディスク装置３０は、ハウジング２とハウジングの上部を蓋するハウジング蓋（図示せず。）で形成された清浄な雰囲気の密閉空間の中に、２枚の回転円板型記録媒体である磁気ディスク４ａ、４ｂとアクチュエータ・サスペンション・アセンブリ８が収納されている。さらにハウジング２の底面外側には、磁気ディスク装置３０の動作及びデータの読み書きの制御を行うロジック・カード（図示せず。）が取り付けられている。
【００３６】
磁気ディスク４ａ、４ｂには、アルミニウムを素材にした基板の上に付着性や磁気特性を改善したり表面を保護したりする目的をもつ様々な層と共に、データを磁区の変化として保持する磁性層がスパッタ付着プロセスにより形成されている。本実施の形態において用いた磁気ディスクの磁性層は、３７５０エルステッド（Ｏｅ）の保磁力を有している。磁性層の保磁力が大きいほど、磁性層に記憶されたデータが外部磁界の影響を受けにくくなる。
【００３７】
本実施の形態における磁気ディスクは、近辺に配置されたマグネットが作る磁界の影響を受けて、記録データにエラーが生ずるようなことがないような大きさの保磁力に選択されている。ただし、後に述べるように本実施の形態では、保磁力が小さくても記憶したデータに影響を与えない構成も提供している。
【００３８】
本実施の形態に供する磁気ディスクの特性として重要なことは、磁気ディスクを構成しているこれらの材料がマグネットの電磁誘導作用で渦電流を効果的に流すことができるように適度な導電性を備えていることであり、本発明ではアルミニウム基板がその機能を果たしている。非導電性の基板を採用しても他の層により実質的に渦電流の経路となる導電層が形成できれば本実施の態様において必ずしも基板自体が導電性である必要はない。なお、基板の材料としては、アルミニウムに限定されるものではなく、アルミニウムとマグネシウムの合金や、他の金属などであってもよい。
【００３９】
さらに、磁気ディスクは基板あるいは他の層がディスク領域の全体に渡って導電性である必要はなく、少なくとも渦電流を流す一部分の領域が導電性であればよい。このような磁気ディスクはスパッタ法などの周知の蒸着技術を利用して製作することができる。
【００４０】
本実施の形態では、２枚の磁気ディスク４ａ、４ｂが上下に平行に配置されてスピンドル軸６の周りで一体となってスピンドル・モータ（図示せず。）により回転するように構成されている。各磁気ディスクは、データの記録用に中央の大部分を占める記録領域７と、記憶領域の外径近辺にデータの記録には利用しない円環上の非記録領域５とをそれぞれ表面と裏面に備える。
【００４１】
アクチュエータ・サスペンション・アセンブリ８は、ハウジング２の底面から直立に支持されたピボット軸２０を中心に回動可能なキャリッジ・アーム１０とキャリッジ・アームの先端に取り付けられたサスペンション・アセンブリ１２ａ、１２ｂ、１２ｃ、１２ｄと、サスペンション・アセンブリの先端に取り付けられたヘッド／スライダ１４ａ、１４ｂ、１４ｃ、１４ｄを含む。
【００４２】
図２では、磁気ディスク４ａ、４ｂそれぞれの表面及び裏面に対応する４つのサスペンション・アセンブリ及び４つのヘッド／スライダが設けられている。ヘッド／スライダは電気信号と磁気信号を双方向に変換し、磁気ディスクとの間でデータの読み書きをするヘッドと、ヘッドが取り付けられたスライダで構成される。なお、ヘッド／スライダは磁気ディスクの記録領域７への書き込みを行わずに、記録された磁気信号を読み出して電気信号に変換することで情報を再生する読み出しヘッドのみの構成でもよい。
【００４３】
スライダの底面には空気軸受（ＡＢＳ）面が形成され、ヘッド／スライダは回転する磁気ディスクの表面に発生した気流がスライダの空気軸受面に当たることで揚力が与えられ、磁気ディスク表面から僅かの間隙を維持しながら飛行して所定の位置に位置づけられるようになっている。従って、通常磁気ディスクが回転している間はヘッド／スライダが磁気ディスク面上におかれても磁気ディスクに接触することはない。
【００４４】
サスペンション・アセンブリ１２ａ、１２ｂ、１２ｃ、１２ｄの先端部は突き出てタブ１６ａ、１６ｂ、１６ｃ、１６ｄが形成され、さらに磁気ディスクの外側近辺にランプ１８が（図２には記載せず。）ハウジング２に取り付けられている。ランプは、磁気ディスク３０の動作を停止するときにヘッド／スライダに退避場所を提供するための技法の一つであるロード／アンロード方式で採用される構成要素で、例えば特開平１０−３０２４２１号公報に開示されている。
【００４５】
磁気ディスク装置３０の動作を停止するときは、磁気ディスクの回転を停止する前にアクチュエータ・サスペンション・アセンブリ８を磁気ディスクの外側まで移動させて、さらにタブをランプに摺動させながらヘッド／スライダをランプの退避位置に退避させる。アクチュエータ・サスペンション・アセンブリが所定の位置まで回動してランプの退避位置に到達すると、４つのヘッド／スライダは一定の間隔を維持するように保持され、ヘッド／スライダを上下に加速するような衝撃力が磁気ディスク装置に加わってもヘッド／スライダ同士が相互に接触したりすることがないようになっている。
【００４６】
しかし、ランプはヘッド／スライダを一時的に退避させるものであり、つぎに磁気ディスク装置を起動するときは、アクチュエータ・サスペンション・アセンブリは、磁気ディスクの記録領域７側に回動できる構成になっているので、退避しただけではなんらかの拘束機構がないと衝撃力でヘッド／スライダが磁気ディスクの記録領域に落下してしまう恐れがある。
【００４７】
正常な動作で磁気ディスクを起動するときは、先に磁気ディスクを回転させた後に、アクチュエータ・サスペンション・アセンブリ８を磁気ディスク方向に回動させると、タブがランプの摺動面を摺動しながらランプから離れる。つぎに、ヘッド／スライダは磁気ディスク表面に移動し、磁気ディスクの回転により発生した気流が磁気ディスクとスライダとの間に流れ込んで形成した空気軸受けを利用して飛行する。
【００４８】
キャリッジ・アーム１０の後部には、コイル・フレーム２２が一体として形成され、ボイス・コイル２４を保持している。キャリッジ・アーム１０の後部には、ヨーク２６ａ、２６ｂが対向するようにハウジング２の底面から支持され、ヨーク２６ａ、２６ｂにはそれぞれ内側に永久磁石で構成されたボイス・コイル・マグネット２８ａ、２８ｂが取り付けられて磁場空間２７を形成している。コイル・フレーム２２に保持されたボイス・コイル２４には、アクチュエータ・サスペンション・アセンブリを回動させる電流が流れる。ボイス・コイル２４に流れる電流の大きさと方向をロジック・カードが制御することで、アクチュエータ・サスペンション・アセンブリを駆動し、ヘッド／スライダを所定の位置に位置づけることができる。
【００４９】
コイル・フレーム２２、ボイス・コイル２４、ボイス・コイル・マグネット２８ａ、２８ｂ、ヨーク２６ａ、２６ｂはボイス・コイル・モータを構成し、さらにアクチュエータ・サスペンション・アセンブリの一部を構成する。ただし、本明細書において、アクチュエータ・サスペンション・アセンブリという表現は、もっぱら可動する部分を示すものとする。
【００５０】
図１でボイス・コイル・マグネットを平面的に上からみたとき、ヨーク２６ａの下側に取り付けられている上側のボイス・コイル・マグネット２８ａ（図２参照）は左側にＮ極が、また右側にＳ極が配置され、これに対向する下側のボイル・コイル・マグネット２８ｂは、ボイス・コイル・マグネット２８ａの磁極とは反対極性の磁極が対向して左右に配置されている。すなわち、ボイス・コイル・マグネット２８ａ、２８ｂは、ボイス・コイル２４に電流を流したときボイス・コイル・マグネットが生成した磁界がヨーク２６ａ、２６ｂを通じてボイス・コイルに有効な力を付与できるように配置されている。
【００５１】
図１にはさらに、退避位置に位置づけられたアクチュエータ・サスペンション・アセンブリを拘束するラッチ部材５０が示されている。図３は、退避位置に位置づけられたアクチュエータ・サスペンション・アセンブリ８がラッチ部材５０で拘束されている状態を示す図である。図４は、ラッチ部材を斜め下及び斜め上から見た外形を示す図である。
【００５２】
図３に示すように、コイル・フレーム２２の先端にはフレーム係合部２３が形成され、アクチュエータ・サスペンション・アセンブリ８はラッチ部材５０で拘束されて、ヘッド／スライダを磁気ディスク４ａの方向に移動させるように回動することができないいわゆる拘束状態になっている。
【００５３】
図４において、ラッチ部材５０はプラスチックなどの非磁性体材料で形成され、中央部に軸穴５２が設けられたラッチ・アーム５８と、ラッチ・アームの一端に設けられたマグネット・ホルダー５４と、ラッチ・アームの他端に形成されたラッチ係合部５６を備える。中央部の軸穴５２には、ハウジングの底面から直立するように支持されたラッチ軸５１（図３参照。）が貫通して、ラッチ部材５０がラッチ軸を中心に回動できるように構成されている。
【００５４】
マグネット・ホルダー５４には渦電流マグネット６０が収納され、渦電流マグネットの下側の磁極面は、ラッチ部材５０が磁気ディスク装置に取り付けられた状態で、磁気ディスク４ａの表面に対向するように位置づけられる。磁気ディスク４ａの表面に向けられた渦電流マグネットの磁極から放出された磁束は磁気ディスク４ａを貫いている。渦電流マグネット６０は、電磁石で構成してもよいが、構造の簡易性から永久磁石を使うことが好ましい。渦電流マグネットを磁気ディスク４ａの表面に配置すると、ラッチ部材５０が積層された磁気ディスク４ａ、４ｂと干渉することがないため、磁気ディスク記憶装置の組立に何ら障害をもたらすことがない。
【００５５】
また、本実施の形態では渦電流マグネットを磁気ディスク４ａの上面にのみ配置しているが、下面にも反対極性の渦電流マグネットを配置して磁路を形成すれば、磁界強度を高めて渦電流マグネットに働く力を大きくすることができる。
【００５６】
渦電流マグネットの磁極は、それほど強力な磁石であることが必要ではないので、磁気ディスク４ａの表面上の非記録領域５はもちろんのこと、記録領域７の任意の場所に対向して配置しても記憶したデータには影響を与えずに有効な渦電流を流すことができる。そのために何れの位置に磁極を配置してもその効果を奏することができるが、本実施の形態では、より安心のために磁気ディスクの外径近辺に円環状に設けられた非記録領域５に対向するように配置している。
【００５７】
本実施の形態では、磁気ディスクの表面からこれに対向する渦電流マグネットの磁極までの距離を０．７ｍｍとし、磁極直下の磁気ディスク表面上で２１５０ガウス（０．２１５Ｗｂ／ｍ２）の磁束密度が得られるように、渦電流マグネットの磁界の強さを選択している。この磁界の強さと、磁気ディスクの保磁力３７５０エルステッドの関係では、記録領域７の上に渦電流マグネットを配置しても、記録したデータに影響を与えないことが確認されている。しかし、渦電流マグネット６０を非記録領域５の上部に配置することにより、磁気ディスクの保磁力及び渦電流マグネットによる磁界強度を考慮する必要がなく、また非記録領域５の周速度は磁気ディスク上で最も早いので大きな渦電流を得る上で望ましい。
【００５８】
本実施の形態では、渦電流マグネット６０とボイス・コイル・マグネット２８ａ、２８ｂの間に働く力を利用して渦電流マグネット６０をバイアス構造としても利用するために、磁気ディスク表面に対向する渦電流マグネットの磁極の極性はボイス・コイル・マグネット２８ａ、２８ｂの極性に関連づけている。バイアス構造は、アクチュエータ・サスペンション・アセンブリが退避位置に位置づけられているときに、ラッチ部材が拘束範囲に回動するようなトルク、すなわち、図３ではラッチ部材をＸ方向に回動させるトルクを与える。
【００５９】
本形態では、ボイス・コイル・マグネット２８ａの渦電流マグネット側がＮ極で、ボイス・コイル・マグネット２８ｂの渦電流マグネット側がＳ極であるため、渦電流マグネット６０は上側をＮ極にし、磁気ディスクに対向している面をＳ極にする。この結果、渦電流マグネット６０はボイス・コイル・マグネットから斥力を受け、ラッチ部材５０に対してＸ方向の回転力としてのバイアス力を与える。
【００６０】
この構成により、ラッチ部材のラッチ係合部５６で退避位置にあるアクチュエータ・サスペンション・アセンブリを拘束することができる。ラッチ係合部５６は、アクチュエータ・サスペンション・アセンブリ８が退避位置に位置づけられているときにコイル・フレーム２２の一部に設けられたフレーム係合部２３と係合し、ヘッド／スライダが外部からの衝撃力などで磁気ディスク方向に移動しないようにその動作を拘束する。フレーム係合部２３は必ずしもコイル・フレームの一部に設ける必要はなく、アクチュエータ・サスペンション・アセンブリのいずれかの場所に設けてもよい。
【００６１】
つぎに、上記構成を備える磁気ディスク装置の動作について図５を参照しながら説明する。図５（Ａ）は、磁気ディスク装置が停止し、アクチュエータ・サスペンション・アセンブリがヘッド／スライダをランプ１８に退避している状態を示す（図１参照）。
【００６２】
退避位置にあるアクチュエータ・サスペンション・アセンブリに、ヘッド／スライダを磁気ディスクから離れる方向に移動させる衝撃力が働いたとしても、退避位置以上は回動しないようになっているが、その方法は周知の任意の方法でよく、たとえば、限界位置を定めるストッパでアクチュエータ・サスペンション・アセンブリの移動を制限するようにしてもよい。
【００６３】
この状態では図５（Ａ）に示すように、ボイス・コイル・マグネット２８ａ、２８ｂと渦電流マグネット６０との作用により働く斥力、すなわちバイアス力により、ラッチ部材５０はＸ方向に力を受けてラッチ軸５１を中心に回動し、ラッチ・アーム５８がハウジングのＰ点に当接して停止している。
【００６４】
図５（Ａ）のラッチ部材５０は、コイル・フレーム２２の先端に形成されたフレーム係合部２３とラッチ係合部５６が係合してアクチュエータ・サスペンション・アセンブリがヘッド／スライダを磁気ディスクに近づける方向で回動することができないように拘束する拘束範囲にある。本実施の形態においては、拘束範囲はラッチ係合部５６がフレーム係合部２３を拘束できるラッチ部材の回動範囲なので、ラッチ部材がハウジングのＰ点に当接する前に到来する。
【００６５】
したがって、アクチュエータ・サスペンション・アセンブリが退避位置にあり、ラッチ部材５０が拘束範囲にあるときは、磁気ディスク装置に外部から大きな衝撃力が与えられてもアクチュエータ・サスペンション・アセンブリは強固にラッチ部材でハウジングに固定され、ヘッド／スライダが磁気ディスクの表面に移動して磁気ディスクを損傷したり、スティクションを発生させたりすることはない。
【００６６】
つぎに、磁気ディスク装置を動作させるために磁気ディスク４ａ、４ｂを回転させたときの動作について説明する。磁気ディスク装置３０を動作させるときは、ラッチ部材５０によるアクチュエータ・サスペンション・アセンブリ８の拘束を解放してアクチュエータ・サスペンション・アセンブリがヘッド／スライダを磁気ディスク方向に移動できる必要がある。
【００６７】
図５（Ａ）の状態で磁気ディスク４ａをＺ方向に回転させると、渦電流マグネット６０が放出した磁束と導電体で形成された磁気ディスクとの相対運動により、フレミング（Ｆｌｅｍｉｎｇ）の右手の法則に従って磁気ディスクに渦電流という誘導電流が流れる。渦電流は渦電流マグネット６０の磁界の中に存在するので、つぎに磁気ディスクと渦電流マグネットとの間には、フレミングの左手の法則による力が働く。その結果、渦電流マグネット６０は、磁気ディスク４ａの回転方向と同じ方向に力が働く。
【００６８】
この渦電流が及ぼす力は、渦電流マグネットの磁界の強さ、渦電流マグネットと磁気ディスクとの間隔、磁気ディスクの電気的性質、回転する磁気ディスクの周速度などにより定まるが、本実施の形態においてはバイアス力を超えるように選択されている。したがって、磁気ディスクの回転速度が上昇すると共にラッチ部材に働くＹ方向の力が大きくなり、ついにラッチ軸５１を中心にして図５（Ｂ）に示すように解放範囲まで回動して最後にラッチ・アーム５８がハウジングの側壁Ｑ点に接触して停止する。この原理は、アラゴー（Ａｒａｇｏ）の円板としてもよく知られている。
【００６９】
図５（Ｂ）の解放範囲にあるラッチ部材５０のラッチ係合部５６は、もはやフレーム係合部２３と係合する位置にはなく、アクチュエータ・サスペンション・アセンブリ８は、ラッチ部材からの拘束が解かれてヘッド／スライダを磁気ディスク方向に移動させるように回動することができる。本実施の形態において、ラッチ部材の解放範囲は、ラッチ部材のラッチ・アーム５８がハウジングの側壁Ｑ点に当接する前に到来する。
【００７０】
磁気ディスク装置を停止させるときは、最初にヘッド／スライダをランプに退避させ、アクチュエータ・サスペンション・アセンブリを図５（Ａ）の位置に位置づける。磁気ディスクが回転している間は、ラッチ部材５０にはＸ方向のバイアス力より大きいＹ方向の力が働いているが、磁気ディスクの電源を停止して徐々に磁気ディスクの回転数が下がると、やがて、Ｘ方向のバイアス力がＹ方向の力よりも大きくなり、ラッチ部材５０は、拘束範囲に向かって回動して最終的にはハウジング側壁のＰ点に当接して停止する。このとき、ラッチ係合部５６は、フレーム係合部２３と係合して、アクチュエータ・サスペンション・アセンブリを拘束する。
【００７１】
本発明においては、アクチュエータ・サスペンション・アセンブリの拘束を解放するタイミングを磁気ディスクの回転という実際にアクチュエータ・サスペンション・アセンブリが自由に動作しなければならないタイミングに一致させることができ、他に特別な機構を要しない簡易な構造で拘束及び解放する機構を実現している。
【００７２】
また、周速度を高くとれる磁気ディスクの外側部分に渦電流マグネットを配置しているため、ラッチ部材をバイアス力に抗して回転させるためのトルクを得るのに必要な渦電流マグネットを小型にすることができ、本発明に係るラッチ構造のために必要なハウジング内のスペースは小さくてよい。
【００７３】
図６には、上記で説明したラッチ部材に働くトルクの実験データを示す。図６（Ａ）は、厚さ１．２７ｍｍで３．５型磁気ディスク装置用の磁気ディスクを７，２００ｒｐｍで回転させ、渦電流マグネットとディスク表面との距離を変化させたときにラッチ部材に働くトルクを測定した結果を示す。渦電流マグネットは、図１で説明したものを使用している。ラインａは、ボイス・コイル・マグネットを取り外した状態の測定結果、ラインｂはボイル・コイル・マグネットを取り付けてバイアス力を発生させた状態での測定結果をそれぞれ示す。
【００７４】
ラインｃは、ラインａとラインｂの差分を示し、渦電流マグネットとボイス・コイル・マグネットによるバイアス力に相当する。ラインｂがラインｃを超えている範囲が、渦電流によりラッチ部材を解放範囲に回動させるトルクを得ることができる範囲である。
【００７５】
図６（Ｂ）は、厚さ１．２７ｍｍで３．５型磁気ディスク装置用の磁気ディスクに対して、渦電流マグネットの磁極面を０．８１ｍｍ離して対向させ、ディスクの回転速度を変化させたときのラッチ部材に働くトルクを示す。ラインｄはボイス・コイル・マグネットを取り外した状態での測定結果、ラインｅはボイル・コイル・マグネットを取り付けてバイアス力を発生させた状態での測定結果をそれぞれ示す。
【００７６】
ラインｆは、ラインｄとラインｅの差分を示し、渦電流マグネットとボイス・コイル・マグネットによるバイアス力に相当する。ラインｅがラインｆを超えている範囲が、渦電流によりラッチ部材を解放範囲に回動させるトルクを得ることができる範囲である。
【００７７】
これまで図１〜図６を用いて説明した実施の形態では、ラッチ部材５０を拘束範囲に位置づけるためのバイアス力として、渦電流マグネット６０とボイル・コイル・マグネット２８ａ、２８ｂとの反発力を使用した。バイアス力を得る他の例としては、ラッチ部材の一部を磁性体又はマグネットで構成して、それとボイス・コイル・マグネットとの間に働く力を利用してもよい。
【００７８】
プラスチックで形成されたラッチ部材の図４の参照番号５７で示す位置に、磁性体又はマグネットを埋め込む。ラッチ部材を図３のように配置すれば、ボイス・コイル・マグネット２８ａ、２８ｂとの間で吸引力を発生させて、ラッチ部材をＸ方向に回動させることができる。当業者にとって明らかなように、マグネット５７をラッチ・アーム５８において軸穴５２よりもマグネット・ホルダー側に埋め込んで、ボイス・コイル・マグネットとの間に働く反発力を利用してもよい。
【００７９】
磁性体又はマグネット５７だけをバイアス力に利用するときは、渦電流マグネット６０をボイス・コイル・マグネットの磁界の影響を受けない位置に配置するが、さらに、ボイス・コイル・マグネットと渦電流マグネットとの間に働くバイアス力と、ボイス・コイル・マグネットと磁性体又はマグネット５７との間に働くバイアス力を合成してもよい。
【００８０】
バイアス力を得るさらに他の例としては、ラッチ部材にスプリングを周知の方法で係合させてその弾性力を用いてもよい。図１１にバイアス力をスプリングで得る場合の構成を示す。図１１に示すラッチ部材５３は、図４に示したラッチ部材５０に対してさらにスプリング・ストッパ６１を備え、軸穴５２を構成する軸受周りにスプリング６３が係合する。スプリング６３の一端はハウジングの側壁に当たり、他端はスプリング・ストッパ６１に当たって、スプリング・ストッパにラッチ部材をＸ方向（図３）に回動させるバイアス力を付与する。
【００８１】
スプリング６３だけをバイアス力に利用するときは、渦電流マグネット６０をボイス・コイル・マグネットの磁界の影響を受けない位置に配置するが、さらに、ボイス・コイル・マグネットと渦電流マグネットとの間に働くバイアス力と、スプリングによるバイアス力を合成してもよい。
【００８２】
図７は、第２の実施の形態に係る磁気ディスク装置９０の概略構成を示す図である。スピンドル軸８４の廻りで導電性材料で形成された磁気ディスク８０が回転できるように取り付けられている。磁気ディスク８０には、内周近傍にランディング領域８２が形成され、その外側に記録領域９４が形成されている。ランディング領域は、磁気ディスクの表面にテクスチャという凹凸の形状を施した領域で、磁気ディスクの回転を停止したときに空気軸受の作用を失ったヘッド／スライダ８８が着陸したり、磁気ディスクを回転させたときにヘッド／スライダが離陸するための領域として機能する。ランディング領域を利用したヘッド／スライダの退避方式をコンタクト・スタート・ストップ（ＣＳＳ）方式という。
【００８３】
ランディング領域のテクスチャは、ヘッド／スライダが磁気ディスクに対して着陸又は離陸する際の摩擦力を減らし、かつ磁気ディスク表面の摩耗を防ぐ機能を果たす。アクチュエータ・サスペンション・アセンブリ８６は、ピボット軸９２の廻りで回動できるように構成されている。磁気ディスク装置９０の動作が停止してヘッド／スライダがランディング領域８２の上に接触して置かれている間も、磁気ディスク装置９０への衝撃力でヘッド／スライダ８８が記録領域９４に移動することを防ぐ必要があるのは、図１で説明したロード／アンロード方式の場合と同じである。
【００８４】
図７の実施の形態で、退避位置に位置づけられているヘッド／スライダがスピンドル軸８４の方向に回動することは、アクチュエータ・サスペンション・アセンブリ８６に対する物理的なストッパなどの周知の方法で防止できる。ヘッド／スライダが記録領域９４に移動することを防止し、かつ、磁気ディスク装置の動作を開始するときは適時にアクチュエータ・サスペンション・アセンブリの動作を可能にするために、図３〜図５で説明したラッチ部材の考えを応用したラッチ部材１００を採用する。
【００８５】
ラッチ部材１００は、一端に渦電流マグネット１０２を備え他端にラッチ係合部１０８を備えたラッチ・アーム１０４の中央部に軸穴が形成され、ハウジングの底面から直立しているラッチ軸１０６にはめ込まれて回動可能に支持されている。ラッチ係合部１０８は磁性体又はマグネットで構成され、ボイス・コイル・マグネット（図示せず）による吸引力（バイアス力）で吸引されて、ラッチ部材は磁気ディスク８０が回転を停止している間、ハウジングの壁などを利用して形成したストッパ１０５に当たるまでＸ方向に回動して拘束範囲に位置づけられる。コイル・フレーム８７の一端には、フレーム係合部８９が設けられている。
【００８６】
図７の構成に係る磁気ディスク装置における本実施の形態の動作を説明する。アクチュエータ・サスペンション・アセンブリ８６が退避位置に位置づけられているとき、ラッチ部材１００はバイアス力で拘束範囲にある。退避位置にあるアクチュエータ・サスペンション・アセンブリは、スピンドル軸８４方向へは周知の方法で回動できないように拘束され、記録領域９４方向へはラッチ部材１００のラッチ係合部１０８、フレーム係合部８９及びストッパ１０５の機構により拘束される。
【００８７】
いま、磁気ディスク９４をＺ方向に回転させると、渦電流マグネット１０２には磁気ディスク９４に流れる渦電流によりＹ方向の力が働き、ラッチ部材１００をラッチ軸１０６を中心にＹ方向に回動させる。ラッチ部材に働く力は、磁気ディスクの回転数が所定値以上になるとバイアス力より大きくなるように選択されている。ラッチ部材１００がＹ方向に回動するとやがて解放範囲に入り、ラッチ係合部１０８とフレーム係合部８９の係合が解除されて、アクチュエータ・サスペンション・アセンブリの動作が解放され記録領域の方向に回動できるようになる。
【００８８】
退避動作では、磁気ディスクの回転を停止する前に、ヘッド／スライダをランディング領域に退避し、つぎに、磁気ディスク装置の電源を停止して磁気ディスクの回転数を徐々に下げていくと、やがて、Ｘ方向のバイアス力がＹ方向の力よりも大きくなり、ラッチ部材はＸ方向に回動して拘束範囲に入り、ラッチ係合部１０８がフレーム係合部８９に係合してアクチュエータ・サスペンション・アセンブリを拘束する。
【００８９】
これまでは、渦電流により渦電流マグネットに対して磁気ディスクの表面と平行な方向に働く力を利用して、アクチュエータ・サスペンション・アセンブリの拘束を解放する実施形態について説明したが、渦電流は渦電流マグネットの磁極を磁気ディスクの表面から垂直方向に引き離す力も発生する。垂直方向に働く力を利用した拘束及び解放機構に関する実施の形態を図８に示す。
【００９０】
図８は、本発明の実施の形態を説明する上で上述したものとの重複を避けるため、主要な部分だけを描いている。図８には、導電性材料で形成された磁気ディスク１３４、ラッチ部材１３１、及びアクチュエータ・サスペンション・アセンブリの一部であるコイル・フレーム１２２が示されている。コイル・フレームの一部には、フレーム係合部１２４が設けられている。
【００９１】
ラッチ部材１３１は、ラッチ・アーム１２８の一端に渦電流マグネット１３２が取り付けられ、他端には磁性体又はマグネットで形成されたラッチ係合部１３５が取り付けられ、ハウジングの底面１２０に固定された軸受１３０により上下に回動できるように支持されている。さらに、ラッチ係合部１３５を吸引してラッチ部材１３１にバイアス力を与えるために、バイアス・マグネット１２６が設けられている。
【００９２】
ラッチ部材１３１にバイアス力が働いてラッチ・アーム１２８が回動し、最終位置で停止しているときは、渦電流マグネット１３２の磁極面と磁気ディスク１３４の表面はわずかな間隙を維持して対向している。
【００９３】
つぎに、この構成を備える実施の形態の動作を説明する。アクチュエータ・サスペンション・アセンブリが退避位置にあり、磁気ディスク１３４の回転が停止しているときは、ラッチ係合部１３５はバイアス・マグネット１２６により吸引されてフレーム係合部１２４と係合し、アクチュエータ・サスペンション・アセンブリを拘束する。
【００９４】
磁気ディスク１３１がＺ方向に回転したときは、渦電流マグネット１３２の磁束が磁気ディスクを貫き電磁誘導により渦電流が発生し、渦電流マグネットに対して磁気ディスク表面から引き離す方向の力（図８では下側）を与える。この力は、ラッチ係合部１３５とバイアス・マグネット１２６により生成されたバイアス力より大きくなるように選択されており、ラッチ・アームは軸受１３０を中心にしてＹ方向に回動し、アクチュエータ・サスペンション・アセンブリの拘束を解放する。
【００９５】
磁気ディスク装置を停止するときの動作原理は、他の実施形態について説明したのと同じである。最初にヘッド／スライダを退避させ、つぎに磁気ディスクの回転を停止させると、渦電流により働く力が低下するにしたがって、バイアス力によりラッチ部材がＸ方向に回動し、ラッチ係合部１３５がアクチュエータ・サスペンション・アセンブリを拘束する。
【００９６】
米国特許第６４６２９１３号公報が開示する技術は、スピンドル廻りに設けられたハブに生じた渦電流を利用しているが、ハブは磁気ディスクの中心に配置されており、最下部に設けられた磁気ディスクの下側の空間に回転板を配置している。さらに、回転するハブ表面の周速度は磁気ディスクの周速度に比べて低く、回転板に十分な回転トルクを得るためにはマグネットの寸法が大きくなる傾向がある。これまでに述べた本発明の実施の形態によれば、磁気ディスクの下側のスペースを利用する必要がなく、比較的容易に確保しやすい磁気ディスク平面の外側のスペースを利用して早い周速度を利用できるので、近年益々強まっている磁気ディスク装置の小型化および薄型化への要求に的確に対応することができる。
【００９７】
つぎに、本発明の実施の形態としてのアクチュエータ・サスペンション・アセンブリを解放する方法について図９を参照しながら説明する。本実施の形態においては、ブロック２０２で周知の方法によりアクチュエータ・サスペンション・アセンブリが退避位置で拘束されている。拘束の方法は、渦電流マグネットに働く力を利用して解放できる方法であれば、機械的な方法、機械的な方法と電気的な方法の組み合わせなど任意の方法であってよい。
【００９８】
ブロック２０４では磁気ディスクに近接して渦電流マグネットを配置する。渦電流マグネットの磁極は磁気ディスクの表面に向けられる。磁極と磁気ディスク表面の距離は、製造上の誤差や外的要因があっても両者が接触することがない範囲でできるだけ接近させることが望ましい。磁極からでた磁束を有効に利用することができ、渦電流マグネットの小型化を図ることができるからである。しかし、本発明の範囲は、磁極と磁気ディスク表面が接触する場合を排除するものではない。
【００９９】
ブロック２０６では、導電性材料で形成された磁気ディスクを回転させる。本実施の形態において磁気ディスクの起動は、拘束を解放する力を得ると同時に、アクチュエータ・サスペンション・アセンブリの拘束を解放するタイミングとしての意義も有している。ブロック２０８では、磁気ディスクに渦電流マグネットによる電磁誘導作用により渦電流を発生させる。
【０１００】
ブロック２１０では、渦電流がマグネットに力を及ぼし、ブロック２１２ではその力を利用してアクチュエータ・サスペンション・アセンブリの拘束を解放する。渦電流マグネットに付与される力の方向は、磁気ディスクの表面に平行で回転の方向と磁気ディスクの表面に平行で表面から離れる方向の２種類あるが、そのいずれを利用してもよく、又はそれを合成した力として利用してもよい。
【０１０１】
つぎに、つぎに、本発明の実施の形態としてのアクチュエータ・サスペンション・アセンブリを拘束し、解放する方法について図１０を参照しながら説明する。ブロック２２２では、アクチュエータ・サスペンション・アセンブリを拘束及び解放するラッチ部材を提供する。
【０１０２】
ブロック２２４では、ヘッド／スライダをランプ又はランディング領域に退避してアクチュエータ・サスペンション・アセンブリを退避位置に位置づける。ブロック２２６では、ラッチ部材を拘束範囲に位置づけて、退避位置に位置づけられたアクチュエータ・サスペンション・アセンブリを拘束する。ブロック２２８では、磁気ディスクの表面に近接した位置に渦電流マグネットを配置する。ブロック２３０では、磁気ディスクを回転させて渦電流マグネットの磁界により磁気ディスクに渦電流を発生させる。
【０１０３】
ブロック２３２では、渦電流が渦電流マグネットに付与する力を利用してラッチ部材を解放範囲に位置づけ、アクチュエータ・サスペンション・アセンブリを解放する。ブロック２３４では、磁気ディスク装置を停止するために磁気ディスクの回転を下げたときには、ラッチ部材を再び拘束範囲に位置づけて、アクチュエータ・サスペンション・アセンブリを拘束できるようにする。
【０１０４】
これまで本発明について図面に示した特定の実施の形態をもって説明してきたが、本発明は、図面に示した実施の形態に限定されるものではなく、本発明の効果を奏する限り、これまで知られたいかなる構成を使用することができることはいうまでもないことである。
【０１０５】
【発明の効果】
以上説明したように本発明により、回転円板型記録媒体に近接した位置に渦電流マグネットを配置して渦電流を発生させ、アクチュエータ・サスペンション・アセンブリを小さなスペースで簡易かつ確実に拘束及び解放することができる回転円板型記憶装置を提供することができた。さらに、本発明により、同様の原理を用いて、アクチュエータ・サスペンション・アセンブリを拘束及び解放する方法を提供することができた。
【図面の簡単な説明】
【図１】第１の発明の実施の形態に係る磁気ディスク装置の概略構成を示す斜視図である。
【図２】図１のＡ−Ａ断面を示す概略図である。
【図３】図１に示す発明の実施の形態に係るラッチ部材とアクチュエータ・サスペンション・アセンブリの概略構成を示す図である。
【図４】図１に示す発明の実施の形態に係るラッチ部材の外形図である。
【図５】図１に示す発明の実施の形態に係るラッチ部材が拘束範囲にあるときと、解放範囲にあるときの状態を示す図である。
【図６】図１に示す発明の実施の形態に係るラッチ部材に働くトルクの実験データを示す図である。
【図７】第２の発明の実施の形態に係る磁気ディスク装置の概略構成を示す図である。
【図８】ラッチ部材の構成に関する他の発明の実施の形態を示す図である。
【図９】アクチュエータ・サスペンション・アセンブリの拘束を解放する方法に関する実施の形態を示すフローチャートである。
【図１０】アクチュエータ・サスペンション・アセンブリを拘束し、解放する方法に関する実施の形態を示すフローチャートである。
【図１１】ラッチ部材にバイアス力を与える一例を示す図である。
【符号の説明】
２  ハウジング
４ａ、４ｂ、８０、１３４  磁気ディスク
５  磁気ディスクの非記録領域
６、８４  スピンドル軸
７、９４  磁気ディスクの記録領域
８、８６  アクチュエータ・サスペンション・アセンブリ
１０  キャリッジ・アーム
１２ａ、１２ｂ、１２ｃ、１２ｄ  サスペンション・アセンブリ
１４ａ、１４ｂ、１４ｃ、１４ｄ、８８  ヘッド／スライダ
１６ａ、１６ｂ、１６ｃ、１６ｄ  タブ
１８  ランプ
２０、９２  ピボット軸
２２、８７、１２２  コイル・フレーム
２３、８９、１２４  フレーム係合部
２４  ボイス・コイル
２６ａ、２６ｂ  ヨーク
２７  磁場空間
２８ａ、２８ｂ  ボイス・コイル・マグネット
３０、９０、１３４  磁気ディスク装置
５０、５３、１００、１３１  ラッチ部材
５１、１０６  ラッチ軸
５２  軸穴
５４  マグネット・ホルダー
５６、１０８、１３５  ラッチ係合部
５７  磁性体又はマグネット
５８、１０４、１２８  ラッチ・アーム
６０、１０２、１３２  渦電流マグネット
６１  スプリング・ストッパ
６３  スプリング
８２  ランディング領域
１０５  ストッパ
１２６  バイアス・マグネット
【図１】
2004303290.tif 000003
【図２】
2004303290.tif 000004
【図３】
2004303290.tif 000005
【図４】
2004303290.tif 000006
【図５】
2004303290.tif 000007
【図６】
2004303290.tif 000008
【図７】
2004303290.tif 000009
【図８】
2004303290.tif 000010
【図９】
2004303290.tif 000011
【図１０】
2004303290.tif 000012
【図１１】
2004303290.tif 000013